(57)【要約】【課題】通信手段の通信速度が、使用者の集中制御装置の操作を行う早さに比べて十分早くない場合、集中制御装置の表示している機器状態と端末機器の動作状態が一致しないという課題を解決し、不必要な表示変化を防止することを目的とする。【解決手段】操作の直後一定時間内は状態変化通知を受信しないか、もしくは表示しないことによって、表示の不必要な変化を防止するものである。【選択図】  図２
2005030668.tif 000002
【特許請求の範囲】
【請求項１】
有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記設定値入力手段が操作されてから前記設定変更を送信するまでに、予め最適化された送信待ち時間が設けられ、前記送信待ち時間中には、前記端末機器からの状態変化通知を受信しないか、もしくは前記集中制御装置の表示手段に表示しないことを特徴とする集中制御システム。
【請求項２】
有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記設定値入力手段が操作されてから一定時間前記状態変化通知を受信もしくは表示に反映しない状態変化通知拒否時間を設け、前記状態変化通知拒否時間中には、前記端末機器からの状態変化通知を受信しないか、もしくは前記集中制御装置の表示手段に表示せず、前記状態変化通知拒否期間終了時に前記端末機器に動作状態を問い合わせることを特徴とする集中制御システム。
【請求項３】
有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記集中制御装置からの設定変更による状態変化通知と、前記個別制御手段からの設定変更による状態変化通知を区別して送信する前記端末機器と、前記集中制御装置からの設定変更によって発生した状態変化通知を選択的に表示しないことを特徴とする集中制御システム。
【請求項４】
有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記端末機器からの状態変化通知を受信した時には、予め最適値に設定された受信待ち時間が経過してから前記状態変化通知を前記集中制御装置の前記表示手段に表示することを特徴とする請求項１記載の集中制御システム。
【請求項５】
有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記集中制御装置には、前記設定値入力手段によって発生した表示情報を格納する第１の情報記憶手段と、端末機器からの状態変化通知によって発生した表示情報を格納する第２の情報記憶手段を具え、第１の情報記憶手段と第２の情報記憶手段の内容が一致しない場合には、予め設定された表示規則に基づいて表示することを特徴とする集中制御システム。
【請求項６】
第１の情報記憶手段と第２の情報記憶手段に記憶されている情報が一致している場合は、第１の情報記憶手段の内容を表示手段を通じて表示し、第１の情報記憶手段と第２の情報記憶手段に記憶されている情報が一致しない場合は、設定値入力手段が操作された回数と同じ個数の状態変化通知を破棄した後、状態変化通知が残らなければ、第１の情報記憶手段の内容を表示し、残った場合はその状態変化通知の内容を表示することを特徴とする請求項５記載の集中制御システム。
【発明の詳細な説明】
【０００１】
【発明の属する技術分野】
本発明は、家庭用もしくは業務用空調装置の集中制御に用いることができる集中制御システムに関するものである。
【０００２】
【従来の技術】
空調用の制御装置、特に家庭用や小規模な業務用空調の集中制御システムにおいては、端末の空調装置の動作状態、具体的には運転中か停止中か、運転モードは暖房なのか冷房なのか、あるいは設定温度は何度になっているのかということが一目ですぐにわかるという機能は非常に重要である。特に昨今、省エネルギーが家電機器や空調機器に対する主要な要求になっている状況の中で、複数の空調機器の動作状態が把握、管理できるということは、空調機器自体の性能向上と同じくらい空調機器とそのシステムの訴求点となっている（例えば特許文献１参照）。このような観点から、上記のような集中制御システムにおいては、集中制御装置が表示する機器状態と端末空調機器の実動作状態が一致しているということは、重要な要件である。
【０００３】
以下に従来の集中制御システムについて図７を用いて説明する。図７は従来の集中制御システムの構成を示すブロック図である。図７において、１は集中制御装置、２は端末機器、３は個別リモコンであり、空調装置としてエアコンを例に説明する。
【０００４】
以上のように構成された集中制御システムにおいて、集中制御装置１の表示している機器状態と端末機器２の動作状態を合致させる手段としていくつか考えられるが、その中の一つに端末機器２の動作状態に変化があった場合には、自動的にその状態変化を通知する機能を端末機器２に設けておき、集中制御装置１はそれを受け取り、表示に反映させるという方法がある。
【０００５】
この方法によれば、端末機器２の動作状態に変化が生じた原因がたとえば、空調機器などの機器毎に個別に付加されている個別リモコン３からの操作であっても、集中制御装置からの操作であっても区別なく状態変化が発生し、その結果集中制御装置１の表示している機器状態と端末機器２の動作状態を一致させることが可能となる。
【０００６】
【特許文献１】
特開平１０−１４１７３８号公報
【０００７】
【発明が解決しようとする課題】
しかしながら上記従来の構成では、通信手段の通信速度が、使用者の集中制御装置１の操作を行う早さに比べて十分早くない場合には、集中制御装置１の表示に以下に述べるような課題が発生する。
【０００８】
具体的に図８を用いて説明する。図８は従来の集中制御システムの構成に基づくタイムチャートであり、図８において、たとえば使用者が集中制御装置１の操作キーを操作する早さを１回２秒、送信待ち時間を１．５秒とし、操作したことによって発生した設定変更が集中制御装置１から端末機器２に送信され、端末機器２の動作状態がこの設定変更によって変更され、端末機器２から状態変化通知が発生して集中制御装置１に届くまでの時間を１．５秒とする。
【０００９】
このとき図８に示すように、１回目の操作Ａで端末機器２に対して”暖房”を送信し、２秒後に２回目の操作Ｃで”冷房”を送信した場合を想定する。１回目の操作Ａの１．５秒後に設定電文Ｂが端末機器２に対して送信され、端末機器２は暖房に設定変更され、暖房の状態変化通知電文Ｅが設定電文Ｂの送信から１．５秒後に端末機器２から送信される。さらに、２回目の操作Ｃで冷房が設定され、設定電文Ｄが送信され端末機器２は冷房に設定変更され、それに対応して冷房の状態変化通知電文Ｆが送信される。その結果図８に示すように、操作Ｃから１秒後に集中制御装置１の表示は暖房になり、更にＣから３秒後に冷房に戻るという使用者の操作と一致しない表示の変化が発生する。このような現象は使用者の混乱を招く可能性が大きいため、回避する必要がある。
【００１０】
本発明は上記従来の問題点を解決するもので、通信手段の通信速度が、使用者の集中制御装置の操作を行う早さに比べて十分早くない場合であっても、集中制御装置の表示している機器状態と端末機器の動作状態を出来るだけ一致させ、不必要な表示変化を防止する集中制御システムを提供することを目的とする。
【００１１】
【課題を解決するための手段】
この目的を達成するために本発明の集中制御システムは、有線もしくは無線の通信手段を有し、通信手段を用いて１台以上の端末機器群の制御及び動作状態の通信を行い、表示手段および設定値入力手段とを有する集中制御装置と、端末機器群はそれぞれ個別に個別制御手段を有し、端末機器は個別制御手段もしくは集中制御装置からの設定変更により動作状態に変更が発生したときに、状態変化通知を集中制御装置に送信する機能を持ち、操作の直後一定時間内は状態変化通知を受信しないか、もしくは表示しないとするものである。
【００１２】
この構成によって、操作の直後一定時間内は状態変化通知を受信しないか、もしくは表示しないことなり、不必要な表示変化を防止する集中制御システムが得られるものである。
【００１３】
【発明の実施の形態】
本発明の請求項１に記載の発明は、有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記設定値入力手段が操作されてから前記設定変更を送信するまでに、予め最適化された送信待ち時間が設けられ、前記送信待ち時間中には、前記端末機器からの状態変化通知を受信しないか、もしくは前記集中制御装置の表示手段に表示しないことを特徴とするものである。
【００１４】
本発明の請求項２に記載の発明は、有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記設定値入力手段が操作されてから一定時間前記状態変化通知を受信もしくは表示に反映しない状態変化通知拒否時間を設け、前記状態変化通知拒否時間中には、前記端末機器からの状態変化通知を受信しないか、もしくは前記集中制御装置の表示手段に表示せず、前記状態変化通知拒否期間終了時に前記端末機器に動作状態を問い合わせることを特徴とするものである。
【００１５】
本発明の請求項３に記載の発明は、有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記集中制御装置からの設定変更による状態変化通知と、前記個別制御手段からの設定変更による状態変化通知を区別して送信する前記端末機器と、前記集中制御装置からの設定変更によって発生した状態変化通知を選択的に表示しないことを特徴とするものである。
【００１６】
本発明の請求項４に記載の発明は、有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記端末機器からの状態変化通知を受信した時には、予め最適値に設定された受信待ち時間が経過してから前記状態変化通知を前記集中制御装置の前記表示手段に表示することを特徴とするものである。
【００１７】
本発明の請求項５に記載の発明は、有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記集中制御装置には、前記設定値入力手段によって発生した表示情報を格納する第１の情報記憶手段と、端末機器からの状態変化通知によって発生した表示情報を格納する第２の情報記憶手段を具え、第１の情報記憶手段と第２の情報記憶手段の内容が一致しない場合には、予め設定された表示規則に基づいて表示することを特徴とするものである。
【００１８】
本発明の請求項６に記載の発明は、第１の情報記憶手段と第２の情報記憶手段に記憶されている情報が一致している場合は、第１の情報記憶手段の内容を表示手段を通じて表示し、第１の情報記憶手段と第２の情報記憶手段に記憶されている情報が一致しない場合は、設定値入力手段が操作された回数と同じ個数の状態変化通知を破棄した後、状態変化通知が残らなければ、第１の情報記憶手段の内容を表示し、残った場合はその状態変化通知の内容を表示することを特徴とするものである。
【００１９】
以下、本発明の実施の形態について、図面を参照して説明する。
【００２０】
（実施の形態１）
図１は本発明の実施の形態１における集中制御システムの構成を示すブロック図であり、図１において、１は集中制御装置、２はエアコンなどの端末機器群、３は端末機器２のそれぞれに備えられている個別リモコンとしての個別制御手段、４は集中制御装置１から端末機器２への設定電文、４’はそれに対する端末機器２からの状態変化通知電文、５は個別制御手段３からの設定電文、５’はそれに対する端末機器２からの状態変化通知電文である。
【００２１】
集中制御装置１は、有線もしくは無線通信手段を有し、通信手段を用いて１台以上の端末機器群２に対する制御及び動作状態の通信を行い、表示手段６および設定値入力手段１２とを有している。設定値入力手段１２は運転入り切り釦、冷房、暖房などの運転切替え釦、風量設定釦、温度設定釦などから構成されている。端末機器２は個別制御手段３もしくは集中制御装置１からの設定変更により動作状態に変更が発生したときに、状態変化が発生したことを通知する状態変化通知を集中制御装置１に送信する機能を有している。
【００２２】
上記の集中制御システムにおいて、集中制御装置１や個別制御手段３で設定電文４および５があっても、状態変化通知電文４’および５’が端末機器２から発生することにより、集中制御装置１の表示内容と端末機器２の動作状態がほぼリアルタイムに一致させることが可能となる。
【００２３】
図２は本発明の実施の形態１における集中制御システムのタイムチャートを示した図で、Ａは集中制御装置１における”暖房”の設定操作、Ｂは集中制御装置１における”暖房”の無線送信、Ｃは集中制御装置１における”冷房”の設定操作、Ｄは集中制御装置１における”冷房”の無線送信、Ｅは集中制御装置１に対する”暖房”の状態変化通知、Ｆは集中制御装置１に対する”冷房”の状態変化通知を表す。設定操作Ａが集中制御装置１で操作された後、一定の送信待ち時間Ｌが経過したあと、集中制御装置１から無線送信Ｂによって”暖房”が送信される。この送信待ち時間Ｌは無線通信に要する時間に応じて最適化され、例えば集中制御装置１から端末機器２への通信に要する時間の１倍から１０００倍程度が適当である。集中制御装置１における設定操作Ｃにより”冷房”が設定された場合にも同様に送信待ち時間Ｌが設定され、その後集中制御装置１から無線送信Ｄによって、”冷房”が送られる。
【００２４】
今、端末機器２から、設定電文４ａに対応する状態変化通知電文４ａ’が無線送信Ｆにより送信される。従来であれば設定操作Ｃによって”冷房”になっている集中制御装置１の表示は状態変化通知電文４ａ’は”暖房”の情報を持っているため、図７のように”暖房”→”冷房”→”暖房”→”冷房”の書き換えが起こるはずであるが、本実施の形態１の場合は送信待ち時間Ｌを設定しており、その期間は状態変化通知電文４ａ’の内容を集中制御装置１の表示に反映させないため、図２に示すように不必要な表示の変化を起こすことなく、集中制御装置１の表示と端末機器２の動作状態を一致させることが可能となる。
【００２５】
なお、本実施の形態１で、送信待ち時間Ｌを設定しており、その期間は状態変化通知電文４ａ’の内容を集中制御装置１の表示に反映させないとしたが、これは、端末機器２からの状態変化通知を受信しないとしても良いし、もしくは集中制御装置１の表示手段に表示しないとするものである。
【００２６】
（実施の形態２）
図３は本発明の実施の形態２における集中制御システムのタイムチャートを示した図である。
【００２７】
この実施の形態２によれば”暖房”の設定操作Ａが使用者によって起こされ所定の時間経過後、無線送信Ｂが行われる。この時の集中制御装置１の表示は”暖房”であり端末機器２の動作状態も”暖房”である。設定操作Ａと同時に集中制御装置１は状態変化通知拒否時間Ｍに入る。その後再度”冷房”の設定操作Ｃが行われると、表示は”冷房”となる。この後に先の操作によって発生した”暖房”の状態変化通知Ｄが端末機器２から送信されてくるが、集中制御装置１は状態変化通知拒否時間Ｍに入っているため、”暖房”は表示されない。
【００２８】
ここで、状態変化通知拒否時間Ｍ中には端末機器２からの状態変化通知を受信しないか、もしくは集中制御装置１の表示手段に表示しないものである。
【００２９】
状態変化拒否時間Ｍの間に個別制御手段３によって、たとえば”除湿”に設定された場合は、端末機器２から”除湿”の状態変化通知が送信されるが、これは集中制御装置１の表示には反映されないので、この時点では集中制御装置１の表示と端末機器２の動作状態は一致しないが、状態変化通知拒否時間が終了した時点で、集中制御装置１から端末機器２に動作状態を問い合わせＨが送信され端末機器２がそれに応答Ｉすることにより、表示と実動作が一致する。
【００３０】
上記のように本実施の形態２によれば、不必要な表示の変化を起こすことなく、集中制御装置１の表示と端末機器２の動作状態を一致させることが可能となる。
【００３１】
（実施の形態３）
本発明の実施の形態３における集中制御システムの構成を、図３を用いて説明する。
【００３２】
この実施の形態３によれば、端末機器２からの状態変化通知が、集中制御装置１からの設定変更によって発生したものか、個別制御手段３からの設定変更によって発生したものかを区別することにより、個別制御手段３による状態変化通知の内容は集中制御装置１の表示に反映させるが、集中制御装置１による状態変化通知の内容については表示に反映させない、すなわち状態変化通知の中でも、４’は集中制御装置１の表示に反映させないが、状態変化通知電文５’は集中制御装置１の表示に反映させる制御を行うことにより、個別制御手段３での設定変更の内容を集中制御装置１の表示にほぼリアルタイムに、さらに表示の不必要な変化等を発生させることなく反映させることが可能となる。
【００３３】
（実施の形態４）
図４は本発明の実施の形態４における集中制御システムの構成を示すブロック図であり、図４中、６は表示手段、７は送信情報変換手段、８は受信情報蓄積手段、９は表示情報蓄積手段、１０は時間計測手段、１１は通信手段、１２は設定値入力手段を表わし、これらは集中制御装置１に配置されている。
【００３４】
使用者が設定値変更手段１２を操作して、自動→暖房→冷房という設定変更を行った場合を想定する。”自動”、”暖房”、”冷房”の設定情報は順次送信情報変換手段７に送られ、通信手段１１から設定電文４ａ、４ｂ、４ｃが端末機器２に送信される。
【００３５】
端末機器２は、順次”自動”、”暖房”、”冷房”の順番で設定変更され、その結果、状態変化通知電文４ａ’、４ｂ’、４ｃ’が集中制御装置１に送信される。状態変化通知電文４ａ’、４ｂ’、４ｃ’は集中制御装置１の通信手段１１によって受信され、受信した順番に”自動”、”暖房”、”冷房”として受信情報蓄積手段８に蓄積される。時間計測手段１０は電文を受信する毎に時間計測を開始し、時間が予め設定された値を超えると、受信情報蓄積手段８に蓄積された情報の中で最も新しいものを選択し、表示情報蓄積手段９を経由して表示手段６に送る。
【００３６】
このように端末機器２からの状態変化通知４’を一旦蓄積し最も新しいもののみを表示することにより、個別制御手段３での設定変更の内容を集中制御装置１の表示手段６にほぼリアルタイムに、さらに表示の不必要な変化等を発生させることなく反映させることが可能となる。
【００３７】
（実施の形態５）
図５は本発明の実施の形態５における集中制御システムの構成を示すブロック図であり、図５中、１３は表示情報選択手段であり、１４は設定値入力手段が操作されることによって発生した表示情報を記憶する第１の情報記憶手段であり、１５は端末機器２からの状態変化通知を記憶する第２の情報記憶手段である。
【００３８】
第１の情報記憶手段１４、第２の情報記憶手段１５ともに”冷房”を保持している場合のように両者の記憶している内容が一致している場合は、第１の情報記憶手段１４の内容を表示情報選択手段１３を通じて表示する。
【００３９】
また、第１の情報記憶手段１４が”暖房”、第２の情報記憶手段１５が”冷房”を保持しているような内容が一致しない場合、表示情報選択手段１３によってどちらの情報を表示するかを選択することにより個別制御手段３での設定変更の内容を集中制御装置１の表示にほぼリアルタイムに、さらに表示の不必要な変化等を発生させることなく反映させることが可能となる。
【００４０】
（実施の形態６）
図６（ａ）および（ｂ）は本発明の実施の形態６における集中制御システムの動作を表すタイムチャートを示す。
【００４１】
図６（ａ）に示すように設定値入力手段が操作された回数を数えておき、その回数と同じ個数の状態変化通知を破棄する処理を行う。この処理の結果状態変化通知が残らなければ、第１の情報記憶手段の内容を表示するものとする。
【００４２】
また、図６（ｂ）に示すように上述の処理の結果、状態変化通知が残った場合には、第２の情報記憶手段の内容を表示するものである。
【００４３】
つまり、状態変化通知の個数より設定値入力手段の操作回数が多いか等しいときには集中制御装置の操作のみが行われたことを表すため、第１の情報記憶手段の内容が表示される。
【００４４】
また、設定値入力手段の操作回数より状態変化通知の個数が多いときには、個別制御手段３により端末機器２の設定変更５がなされ、その状態変化通知５’が含まれているため、第２の情報記憶手段の内容が表示される。
【００４５】
以上のような制御を行うことにより、個別制御手段での設定変更の内容を集中制御装置の表示にほぼリアルタイムに、さらに表示の不必要な変化等を発生させることなく反映させることが可能となる。
【００４６】
【発明の効果】
以上のように本発明は、通信手段の通信速度が、使用者の集中制御装置の操作を行う早さに比べて十分早くない場合であっても、集中制御装置の表示している機器状態と端末機器の動作状態を出来るだけ一致させ、不必要な表示変化を防止する集中制御システムが得られるものである。
【００４７】
請求項１に記載の発明は、有線もしくは無線の通信手段を有し、前記通信手段を用いて１台以上の端末機器群の制御及び動作状態の通信を行い、表示手段および設定値入力手段とを有する集中制御装置と、前記端末機器群はそれぞれ個別に個別制御手段を有し、前記端末機器は前記個別制御手段もしくは前記集中制御装置からの設定変更により動作状態に変更が発生したときに、状態変化が発生したことを通知する状態変化通知を前記集中制御装置に送信する機能を有し、前記設定値入力手段が操作されてから前記設定変更を送信するまでに、予め最適化された送信待ち時間が設けられ、前記送信待ち時間中には、前記端末機器からの状態変化通知を受信しないか、もしくは前記集中制御装置の表示手段に表示しないことを特徴とするもので、端末機器に備えられている個別制御手段で設定変更された内容もほぼリアルタイムに、表示の不必要な変化等を発生させることなく反映させることが可能となる。
【００４８】
請求項２に記載の発明は、前記設定値入力手段が操作されてから一定時間前記状態変化通知を受信もしくは表示に反映しない状態変化通知拒否時間を設け、前記状態変化通知拒否時間中には、前記端末機器からの状態変化通知を受信しないか、もしくは前記集中制御装置の表示手段に表示せず、前記状態変化通知拒否期間終了時に前記端末機器に動作状態を問い合わせることを特徴とするもので、表示の不必要な変化等を発生させることなく反映させることが可能となる。
【００４９】
請求項３に記載の発明は、前記集中制御装置からの設定変更による状態変化通知と、前記個別制御手段からの設定変更による状態変化通知を区別して送信する前記端末機器と、前記集中制御装置からの設定変更によって発生した状態変化通知を選択的に表示しないことを特徴とするもので、個別制御手段での設定変更の内容を集中制御装置の表示にほぼリアルタイムに、さらに表示の不必要な変化等を発生させることなく反映させることが可能となる。
【００５０】
請求項４に記載の発明は、前記端末機器からの状態変化通知を受信した時には、予め最適値に設定された受信待ち時間が経過してから前記状態変化通知を前記集中制御装置の前記表示手段に表示することを特徴とするもので、表示の不必要な変化等を発生させることなく反映させることが可能となる。
【００５１】
請求項５に記載の発明は、設定変更によって発生した表示データを格納する第１のデータ記憶手段と、端末機器からの状態変化通知によって発生した表示データを格納する第２のデータ記憶手段を具え、第１のデータ記憶手段と第２のデータ記憶手段の内容が一致しない場合には、予め設定された表示規則に基づいて表示することを特徴とするもので、表示の不必要な変化等を発生させることなく端末機器の動作状態をほぼリアルタイムに反映させることが可能となる。
【００５２】
請求項６に記載の発明は、第１の情報記憶手段と第２の情報記憶手段に記憶されている情報が一致している場合は、第１の情報記憶手段の内容を表示手段を通じて表示し、第１の情報記憶手段と第２の情報記憶手段に記憶されている情報が一致しない場合は、設定値入力手段が操作された回数と同じ個数の状態変化通知を破棄した後、状態変化通知が残らなければ、第１の情報記憶手段の内容を表示し、残った場合はその状態変化通知の内容を表示することを特徴とするもので、表示の不必要な変化等を発生させることなく端末機器の動作状態をほぼリアルタイムに反映させることが可能となる。
【図面の簡単な説明】
【図１】本発明の実施の形態１における集中制御システムの構成を示すブロック図
【図２】本発明の実施の形態１における集中制御システムの動作を表すタイムチャート
【図３】本発明の実施の形態２における集中制御システムの動作を表すタイムチャート
【図４】本発明の実施の形態４における集中制御システムの構成を示すブロック図
【図５】本発明の実施の形態５における集中制御システムの構成を示すブロック図
【図６】本発明の実施の形態６における集中制御システムの動作を表すタイムチャート
【図７】従来の集中制御システムの構成を示すブロック図
【図８】従来の集中制御システムの動作を表すタイムチャート
【符号の説明】
１  集中制御装置
２  端末機器
３  個別制御手段
６  表示手段
７  送信情報変換手段
８  受信情報蓄積手段
９  表示情報蓄積手段
１０  時間計測手段
１１  通信手段
１２  設定値入力手段
１３  表示情報選択手段
１４  第１の情報記憶手段
１５  第２の情報記憶手段
【図１】
2005030668.tif 000003
【図２】
2005030668.tif 000004
【図３】
2005030668.tif 000005
【図４】
2005030668.tif 000006
【図５】
2005030668.tif 000007
【図６】
2005030668.tif 000008
【図７】
2005030668.tif 000009
【図８】
2005030668.tif 000010